(57)【要約】【課題】ＧＰＳ受信部などにより測位された現在地を出発地として経路案内を行うときに、出発地に設定された現在地の測位精度が低いことに起因する不適切な出発地からの経路案内を防止する。【解決手段】経路探索処理手段２７は、位置測定部２２で測位された現在地を出発地に設定する。現在地確認手段２９は出発地に設定された現在地の測位精度が低いとき、その現在地が適切か否かをユーザに確認させるとともに、不適切な場合、ユーザに現在地の入力（修正）を促す表示を表示部２３で行う。ユーザが操作部２４から現在地を入力した場合、出発地をユーザが入力した現在地に変更する。【選択図】図１
2014074653.tif 000002
【特許請求の範囲】
【請求項１】
現在地の測位データ及び測位精度データを取得するデータ取得手段と、
該データ取得手段により取得された現在地又はユーザにより入力された地点を出発地として設定する出発地設定手段と、
目的地を設定する目的地設定手段と、
前記出発地設定手段により設定された出発地から、前記目的地設定手段により設定された目的地への案内経路を探索する経路探索手段と、
前記データ取得手段により取得された現在地が出発地として設定された場合、該現在地の測位精度の良否を判定する測位精度判定手段と、
該測位精度判定手段により、測位精度が悪いと判定されたとき、該出発地として設定された現在地が適切か否かをユーザに確認させるとともに、不適切な場合、出発地の入力を促す現在地確認手段と、
該ユーザによる出発地の入力に応じて、前記設定された出発地を該ユーザにより入力された出発地に変更する出発地変更手段と、
を備える経路案内装置。
【請求項２】
請求項１に記載された経路案内装置において、
前記データ取得手段により取得された測位データが示す現在地が前記経路探索手段により探索された経路から外れたか否かを判定する経路外れ判定手段と、
該経路外れ判定手段により外れたと判定されたとき、前記経路探索手段に探索を要求する再探索要求手段と、
前記データ取得手段により取得された測位データの測位精度が悪い間は、前記再探索要求手段が動作しないように制御する手段と、
を備える経路案内装置。
【請求項３】
請求項１又は２に記載された経路案内装置において、
前記現在地確認手段は、現在地付近の地図を表示するとともに、該地図上の所望の位置に対するユーザの指定を促す画像を表示する経路案内装置。
【請求項４】
請求項３に記載された経路案内装置において、
前記地図は経路案内に使用する地図よりも大縮尺の地図である経路案内装置。
【請求項５】
請求項４に記載された経路案内装置において、
ユーザの移動手段を設定する移動手段設定手段を備え、該移動手段設定手段により設定された移動手段に応じて、前記地図の縮尺を変える経路案内装置。
【請求項６】
請求項２に記載された経路案内装置において、
前記経路探索手段により探索された経路と、前記データ取得手段により取得された測位データに基づく現在地とを表示する表示手段を備え、該現在地の表示態様を前記再探索要求手段が動作しない間と動作時とで異ならせる経路案内装置。
【請求項７】
経路案内装置により実行される経路案内方法であって、
現在地の測位データ及び測位精度データを取得するデータ取得工程と、
該データ取得工程により取得された現在地又はユーザにより入力された地点を出発地として設定する出発地設定工程と、
目的地を設定する目的地設定工程と、
前記出発地設定工程により設定された出発地から、前記目的地設定工程により設定された目的地への案内経路を探索する経路探索工程と、
前記データ取得工程により取得された現在地が出発地として設定された場合、該現在地の測位精度の良否を判定する測位精度判定工程と、
該測位精度判定工程により、測位精度が悪いと判定されたとき、該出発地として設定された現在地が適切か否かをユーザに確認させるとともに、不適切な場合、出発地の入力を促す現在地確認工程と、
該ユーザによる出発地の入力に応じて、前記設定された出発地を該ユーザにより入力された出発地に変更する出発地変更工程と、
を備える経路案内方法。
【請求項８】
経路案内装置のコンピュータに請求項７に記載された経路案内方法の各工程を実行させるためのプログラム。
【発明の詳細な説明】
【技術分野】
【０００１】
本発明は、出発地から目的地までの経路を案内する経路案内装置、経路案内方法、及びプログラムに関する。
【背景技術】
【０００２】
近年、カーナビゲーション装置のような専用端末のみならず、ＧＰＳ（Global Positioning System）受信部を備えた携帯電話機や携帯情報端末等の携帯端末を用いた経路案内装置が急速に普及している。
【０００３】
これらの経路案内装置は、ユーザを出発地から目的地まで案内する経路案内機能を備えている。この経路案内機能により、出発地と目的地とを結ぶ経路を探索し、その探索した経路を案内経路として地図及び現在地とともに端末の画面に表示するので、ユーザは、地図上の案内経路及び現在地を確認しながら目的地まで進むことができる。また、これらの経路案内装置として、ＧＰＳ受信部により測位された現在地が案内経路から所定距離以上離れた場合、当該現在地から目的地までの案内経路を自動的に再探索するリルート機能が備えられているものもある（特許文献１参照）。
【０００４】
ここで、出発地はユーザが手動で入力することもできるし、ＧＰＳ受信部により測位された現在地を自動設定することもできる。しかし、ＧＰＳ受信部により測位された現在地を出発地として経路を探索した場合、測位精度が低いと、出発地の異なる経路が探索されてしまう。
【０００５】
このため、そのままユーザが移動を開始すると、誤った経路で案内が進んでしまうという問題がある。また、出発地の測位精度は高くても、出発後の測位精度が低い場合、現在地が案内経路から外れ、再探索が行われてしまう可能性がある。
【先行技術文献】
【特許文献】
【０００６】
【特許文献１】特開２００２−１７４５２９号公報
【発明の概要】
【発明が解決しようとする課題】
【０００７】
本発明は、このような問題を解決するためになされたものであり、その目的は、ＧＰＳ受信部などにより測位された現在地を出発地として経路案内を行うときに、出発地に設定された現在地の測位精度が低いことに起因する不適切な出発地からの経路案内を防止できるようにすることである。
【課題を解決するための手段】
【０００８】
本発明に係る経路案内装置は、現在地の測位データ及び測位精度データを取得するデータ取得手段と、該データ取得手段により取得された現在地又はユーザにより入力された地点を出発地として設定する出発地設定手段と、目的地を設定する目的地設定手段と、前記出発地設定手段により設定された出発地から、前記目的地設定手段により設定された目的地への案内経路を探索する経路探索手段と、前記データ取得手段により取得された現在地が出発地として設定された場合、該現在地の測位精度の良否を判定する測位精度判定手段と、該測位精度判定手段により、測位精度が悪いと判定されたとき、該出発地として設定された現在地が適切か否かをユーザに確認させるとともに、不適切な場合、出発地の入力を促す現在地確認手段と、該ユーザによる出発地の入力に応じて、前記設定された出発地を該ユーザにより入力された出発地に変更する出発地変更手段と、を備える経路案内装置である。
本発明に係る経路案内方法は、経路案内装置により実行される経路案内方法であって、現在地の測位データ及び測位精度データを取得するデータ取得工程と、該データ取得工程により取得された現在地又はユーザにより入力された地点を出発地として設定する出発地設定工程と、目的地を設定する目的地設定工程と、前記出発地設定工程により設定された出発地から、前記目的地設定工程により設定された目的地への案内経路を探索する経路探索工程と、前記データ取得工程により取得された現在地が出発地として設定された場合、該現在地の測位精度の良否を判定する測位精度判定工程と、該測位精度判定工程により、測位精度が悪いと判定されたとき、該出発地として設定された現在地が適切か否かをユーザに確認させるとともに、不適切な場合、出発地の入力を促す現在地確認工程と、該ユーザによる出発地の入力に応じて、前記設定された出発地を該ユーザにより入力された出発地に変更する出発地変更工程と、を備える経路案内方法である。
本発明に係るプログラムは、経路案内装置のコンピュータに本発明に係る経路案内方法の各工程を実行させるためのプログラムである。
【０００９】
［作用］
本発明によれば、経路探索の出発地に設定された現在地の測位精度が低いとき、その現在地が適切か否かをユーザに確認させるとともに、不適切な場合、ユーザに出発地の入力（修正）を促し、ユーザが出発地を入力した場合、測位データを基に設定した出発地をユーザが入力した出発地に変更する。
【発明の効果】
【００１０】
本発明によれば、ＧＰＳ受信部などにより測位された現在地を出発地として経路案内を行うときに、出発地に設定された現在地の測位精度が低いことに起因する不適切な出発地からの経路案内を防止することができる。
【図面の簡単な説明】
【００１１】
【図１】本発明の実施形態に係る経路案内装置のシステム構成を示す図である。
【図２】本発明の実施形態に係る経路案内装置における携帯端末装置の動作を示すフローチャートである。
【図３】図２における経路案内処理の第１の例を示すフローチャートである。
【図４】図２における経路案内処理の第２の例を示すフローチャートである。
【発明を実施するための形態】
【００１２】
以下、本発明の実施形態について図面を参照して説明する。
<経路案内装置のシステム構成>
図１は本発明の実施形態に係る経路案内装置のシステム構成を示す図である。
【００１３】
本実施形態の経路案内装置は、インターネットなどのネットワーク１を介して通信可能な経路探索サーバ１０と携帯端末装置２０とを備えている。
【００１４】
携帯端末装置２０は、制御部２１と、それぞれが制御部２１に接続された位置測定部２２、表示部２３、操作部２４、記憶部２５、及び通信部２６を備えている。
【００１５】
制御部２１は、図示しないＣＰＵ（Central Processing Unit）、ＲＯＭ（Read Only Memory）、及びＲＡＭ（Random Access Memory）を内蔵しており、ＲＯＭや記憶部２５に格納されているプログラムをＣＰＵがＲＡＭをワークエリアとして実行することにより実現される機能として、経路探索処理手段２７、経路案内手段２８、及び現在地確認手段２９を備えている。
【００１６】
位置測定部２２はＧＰＳ受信機からなり、複数のＧＰＳ衛星から送信される電波を受信して演算することにより、受信点、即ち携帯端末装置２０の現在地（緯度、経度）を測定して、現在地の測位データを生成する。
【００１７】
表示部２３は、液晶、有機ＥＬ（Electro Luminescence）などのディスプレイからなり、経路探索サーバ１０から送信された経路データ、予め記憶部２５に格納された地図データ、及び位置測定部２２により生成された現在地の測位データに基づいて、地図、経路、及び現在地を表示する。
【００１８】
操作部２４は、ユーザが携帯端末装置２０を使用するときに各種指令の入力を行うための手段であり、表示部２３の画面上のタッチパネル、図示しない装置筐体上のボタン或いはそれらの組み合わせからなる。
【００１９】
記憶部２５は、不揮発性ＲＡＭ、フラッシュメモリなどの着脱可能なメモリからなり、経路案内プログラムや地図データを格納する。これらの情報は、予めネットワーク１上の図示されていないサーバからダウンロードすることができる。また、これらの情報が格納されたメモリを取得し、装着することもできる。通信部２６は、ネットワーク１を介して経路探索サーバ１０と通信するための手段である。
【００２０】
経路探索処理手段２７は、経路探索サーバ１０に経路探索を要求し、その要求に応じて経路探索サーバ１０が探索した案内経路を取得する。経路探索を要求するときには、経路探索要求信号を生成する。この経路探索要求信号は、経路探索の出発地情報及び目的地情報などの位置情報、並びに移動手段情報を含む。出発地情報は位置測定部２２で生成された現在地の測位データ、もしくはユーザが操作部２４から入力した出発地の情報であり、目的地情報はユーザが操作部２４から入力した目的地を表す情報である。また、移動手段情報はユーザが操作部２４から入力した移動手段（自動車、徒歩、自転車など）を表す情報である。
【００２１】
経路案内手段２８は、経路探索要求に応じて経路探索サーバ１０から提供された経路データ、及び記憶部２５に記憶されている地図データを用いて経路案内を行う。より詳しくは、経路探索サーバ１０から送信された経路データ、記憶部２５に記憶されている地図データ、及び位置測定部２２で生成された現在地の測位データを基に、地図画像上に経路及び携帯端末装置２０の現在地を重畳した表示画像データを生成し、表示部２３に送出する。
【００２２】
また、経路案内手段２８は、経路探索サーバ１０から提供された経路データと、位置測定部２２で生成された現在地の測位データとを比較することで、携帯端末装置２０の現在地が経路から外れたか否かを判定し、外れたと判定したとき、その現在地を新たな出発地とした経路探索処理（自動再探索処理）を経路探索処理手段２７に実行させる。
【００２３】
現在地確認手段２９は、位置測定部２２で測位された現在地が出発地として設定され、経路探索が行われた場合、その現在地の測位精度の良否を判定し、測位精度が悪いと判定した場合、ユーザに現在地の適否を確認させ、現在地が不適切な場合、適切な現在地を入力させるための画面を表示部２３に表示させる。
【００２４】
ここで、現在地の測位精度の良否は以下のように行う。位置測定部２２は、現在地を測位したときに、測位データとともに、ＧＤＯＰ（Geometrical Dilution of Precision：幾何学的精度低下率）値と呼ばれる測位精度データを生成する。一般に、ＧＤＯＰ値が１０以上の値をとるときの測位精度は劣悪であり、現実には測位不能に近い状態であるため、例えばＧＤＯＰ値１〜３を高精度、ＧＤＯＰ値４〜７を中精度、ＧＤＯＰ値８以上を低精度と分類し、高精度及び中精度を精度が良い、低精度を精度が悪いとする。高精度を精度が良い、中精度及び低精度を精度が悪いとしてもよい。
【００２５】
ユーザは現在地が適切か否かを、例えばユーザが出発地に設定された現在地を許容できるか否かに基づいて判断し、不適切であると判断した場合、操作部２４から現在地を入力（修正）する。ユーザが現在地を入力した場合、現在地確認手段２９は、経路探索処理手段２７に、その現在地からの経路探索処理を実行させる。
【００２６】
経路探索サーバ１０は、制御部１１と、それぞれが制御部１１に接続された通信部１２、及び経路ＤＢ（データベース）１３を備えている。
【００２７】
制御部１１は、図示しないＣＰＵ、ＲＯＭ、及びＲＡＭを内蔵しており、ＲＯＭに記憶されているプログラムをＣＰＵがＲＡＭをワークエリアとして実行することにより、携帯端末装置２０からの経路探索要求に応じて、案内経路を探索し、携帯端末装置２０に提供する。
【００２８】
通信部１２は、ネットワーク１を介して携帯端末装置２０と通信するための手段である。経路ＤＢ１３には、経路データとして、道路のノード（交差点）を表すノード情報、及びノード間のリンクを表すリンク情報を含むネットワークデータが格納されている。
【００２９】
<携帯端末装置の動作>
図２は携帯端末装置２０の動作を示すフローチャートである。この処理は、経路探索サーバ１０により提供される経路探索サービスを受けるためのアプリケーションを立ち上げたときに始まる。
【００３０】
まず制御部２１は、位置測定部２２から現在地の測位データ及び測位精度データを取得する（ステップＳ１）。次に、制御部２１は、現在地を出発地とした経路探索を経路探索サーバ１０に要求する（ステップＳ２）。詳しくは、位置測定部２２から取得した現在地の測位データを出発地に設定するとともに、ユーザが操作部２４から入力した目的地及び移動手段を設定し、これらの設定情報を経路探索条件とした経路探索要求信号を生成し、通信部２６を通して経路探索サーバ１０に送信する。
【００３１】
経路探索サーバ１０は、携帯端末装置２０からの経路探索要求に応じて、案内経路を探索し、携帯端末装置２０に提供する。携帯端末装置２０の制御部２１は、経路探索サーバ１０から、出発地から目的地に至る経路データを取得する（ステップＳ３）。
【００３２】
以上のステップＳ１及びＳ２において、制御部２１が取得したデータ及び設定したデータは、制御部２１においてＣＰＵによりＲＡＭに書き込まれ、保持されるとともに、表示部２３に表示される。また、ステップＳ１〜Ｓ３は経路探索処理手段２７に対応する。
【００３３】
次に制御部２１は、ステップＳ１で取得した測位精度データに基づいて、測位精度が良いか悪いかを判定する（ステップＳ４）。判定の結果、測位精度が良い場合は（ステップＳ４：良い）、経路案内処理（ステップＳ５）に移行する。この経路案内処理の詳細については図３を用いて後述する。
【００３４】
判定の結果、測位精度が悪い場合は（ステップＳ４：悪い）、制御部２１は、出発地に設定された現在地が適切か否かをユーザに確認させるとともに、不適切な場合、出発地に設定された現在地の入力（修正）を促すメッセージ等を表示部２３に表示する（ステップＳ６）。
【００３５】
ここで、ユーザによる現在地の入力は、経路案内に使用する地図よりも大縮尺の現在地付近の地図を表示し、所望する位置をタッチパネルへの押圧で指定したり、地図上で目印となるＰＯＩ（駅、大きな施設の出入口等）を指定したりすることにより、実行することができる。図示されていないマイクからの音声入力により指定することもできる。
【００３６】
次に制御部２１は、ユーザが現在地を入力したか否かを判定する（ステップＳ７）。判定の結果、入力しなかった場合は（ステップＳ７：NO）、経路案内処理（ステップＳ５）に移行する。この場合、測位精度は悪かったものの、測位された現在地はユーザが許容できる位置であったことになる。
【００３７】
一方、ユーザが現在地を入力した場合は（ステップＳ７：YES）、その現在地に基づいて、経路探索サーバ１０に経路探索を要求する（ステップＳ８）。即ち、ユーザが入力した現在地、並びに先にステップＳ２で設定した目的地及び移動手段を経路探索条件とした経路探索要求信号を経路探索サーバ１０に送信する。
【００３８】
経路探索サーバ１０は、携帯端末装置２０からの経路探索要求に応じて、案内経路を探索し、携帯端末装置２０に提供する。携帯端末装置２０の制御部２１は、経路探索サーバ１０から、現在地から目的地に至る経路データを取得する（ステップＳ９）。ステップＳ８、Ｓ９は手動再探索（手動リルート）処理である。
【００３９】
次に制御部２１は、自動再探索機能（自動リルート機能）、即ち、位置測定部２２により測位された現在地が経路から逸脱したと判定したとき、その現在地を新たな出発地とした経路探索処理を実行する機能をオフし、ステップＳ９で取得した経路データに基づく案内経路を表示し、位置測定部２２により測位された現在地の表示をオフにする（ステップＳ１０）。
【００４０】
次に制御部２１は、位置測定部２２から現在地の測位データ及び測位精度データを取得し（ステップＳ１１）、測位精度の良否を判定する（ステップＳ１２）。判定の結果、測位精度が良かった場合は（ステップＳ１２：良い）、経路案内処理（ステップＳ５）に移行する。この場合、ステップＳ９で取得した経路データを基に経路案内処理が実行される。
【００４１】
判定の結果、測位精度が悪かった場合は（ステップＳ１２：悪い）、ステップＳ１０に戻り、自動再探索機能及び現在地表示をオフにした案内を継続する。
【００４２】
従って、測位精度が悪い間は、ステップＳ９で取得した経路データに基づく案内経路の表示が続くことになる。
【００４３】
ここで、ステップＳ１０において、自動再探索機能及び現在地の表示をオフにする理由を説明する。測位精度が悪い時は、現在地の測位データが実際の現在地からずれることで、実際の現在地が案内経路上に位置するにもかかわらず案内経路から外れていると判定される可能性が高いため、自動再探索機能をオンにしておくと、不適切な再探索が実行されてしまう。そこで、これを防止するため、自動再探索機能をオフにしている。また、実際の現在地からずれた位置を現在地として表示してもユーザを混乱させるだけで有用性がないため、現在地の表示をオフにしている。また、現在地の表示については、表示をオフにする例の他に、例えば、点滅表示や半透明表示等、測位精度が良い場合の現在地表示と異なる態様によって、表示することとしてもよい。つまり、実際の現在地からずれている可能性の高い位置を現在地として表示することによってユーザを混乱させることを防ぐため、低精度における現在地であることをユーザに認知させることができる表示であればよい。
【００４４】
以上のステップにおいて、Ｓ８及びＳ９は経路探索処理手段２７に対応し、Ｓ４、Ｓ６及びＳ７は現在地確認手段２９に対応し、Ｓ５、及びＳ１０〜Ｓ１２は経路案内手段２８に対応する。
【００４５】
次に経路案内処理（ステップＳ５）の詳細について説明する。図３は経路案内処理（ステップＳ５）の第１の例を示すフローチャートである。
図示のように、制御部２１は、位置測定部２２から現在地の測位データを取得し（ステップＳ２１）、現在地が経路から外れているか否か、即ち経路から所定距離以上離れているか否かを判定する（ステップＳ２２）。
【００４６】
判定の結果、現在地が経路から外れていなければ（ステップＳ２２：NO）、現在地を経路上にマッチングさせ（ステップＳ２３）、経路及びマッチングされた現在地を表示部２３に表示する（ステップＳ２４）。
【００４７】
次に、経路案内が終了したか否か、即ち例えばマッチングされた位置が目的地と一致したか否かを判定する（ステップＳ２５）。経路案内が終了したと判定した場合は（ステップＳ２５：YES）、この図に示す処理を終了し、経路案内が終了していないと判定した場合は（ステップＳ２５：NO）、ステップＳ２１に移行する。
【００４８】
現在地が経路から外れていた場合（ステップＳ２２：YES）、自動再探索を行う。即ち、現在地を新たな出発地とし、この出発地と先に設定した目的地及び移動手段を経路探索条件とした経路探索を経路探索サーバ１０に要求し（ステップＳ２６）、経路データを経路探索サーバ１０から取得する（ステップＳ２７）。
【００４９】
以上のステップにおいて、Ｓ２１〜Ｓ２５は経路案内手段２８に対応し、Ｓ２６〜Ｓ２７は経路探索処理手段２７に対応する。
【００５０】
次に経路案内処理（ステップＳ５）の第２の例について説明する。図４は経路案内処理（ステップＳ５）の第２の例を示すフローチャートである。
図示のように、制御部２１は、位置測定部２２から現在地の測位データ及び測位精度データを取得し（ステップＳ３１）、測位精度の良否を判定する（ステップＳ３２）。
【００５１】
判定の結果、測位精度が良かった場合は（ステップＳ３２：良い）、ステップＳ３３へ移行する。ステップＳ３３以後のステップであるステップＳ３３〜Ｓ３８の内容は、図３におけるステップＳ２２〜Ｓ２７の内容と同じである。即ち、自動再探索機能をオンにした経路案内を行う。
【００５２】
一方、測位精度が悪かった場合は（ステップＳ３２：悪い）、以前に現在地を確認したか否か、即ちステップＳ６（図２）を実行したか否かを判定する（ステップＳ３９）。
【００５３】
判定の結果、実行していた場合は（ステップＳ３９：YES）、ステップＳ３３へ移行する。従って、この場合、測位精度が良かった場合（ステップＳ３２：良い）と同様、自動再探索機能をオンした経路案内を行う。
判定の結果、実行していなかった場合は、ステップＳ６へ移行する。ただし、ステップＳ６で表示するメッセージは、ステップＳ１〜Ｓ４を経てステップＳ６に来た場合とは異なる。即ち、ここでは、出発地として設定した現在地の適否を確認させるのではなく、単純に現在地の適否を確認させる。また、ステップＳ７でNOの場合は、ステップＳ３３へ移行する。
【００５４】
以上説明した図２及び図４の処理の内容を整理した結果を下記の表１に示す。
【表１】
2014074653.tif 000003
【００５５】
以上のステップにおいて、Ｓ３１〜Ｓ３６は経路案内手段２８に対応し、Ｓ３７〜Ｓ３９は経路探索処理手段２７に対応する。
【００５６】
以上詳細に説明したように、本発明の実施形態に係る経路案内装置によれば、位置測定部２２により測位され、経路探索の出発地として設定された現在地の測位精度が低かったとき、設定された出発地が適切か否かをユーザに確認させるとともに、不適切な場合、出発地の入力（修正）を促し、ユーザが出発地を入力した場合、出発地を測位データに基づく現在地からユーザが入力した現在地に変更するので、出発地に設定された現在地の測位精度が低いことに起因する不適切な出発地からの経路案内を防止することができる。
【００５７】
また、手動再探索処理を実行した場合、測位精度が良くなるまで、自動再探索機能をオフにしておくので、現在地の測位データが実際の現在地からずれることで案内経路から外れ、再探索が実行されるのを防止することができる。
【００５８】
また、図４に示す処理を実行することで、出発地の測位精度が高く、出発後の測位精度が低い場合に再探索が行われてしまう可能性を低減することができる。
【００５９】
なお、本発明は上述した実施形態に対し、下記（１）〜（５）の変形が可能である。
（１）図２におけるステップＳ２を経路探索条件の設定までとし、サーバに対する探索要求は実行しない。図２では、ステップＳ２で設定された出発地が不適切であった場合、ステップＳ３で取得した経路データが無駄になるが、探索要求を実行しないことで、その無駄の発生を防止することができる。
（２）図２におけるステップＳ１０において、現在地の表示を別態様でオンにする。
（３）携帯端末装置２０が、経路探索サーバ１０から経路データを取得した後に、ネットワーク上の地図データサーバ（図示せず）から、地図データを取得する。
（４）経路ＤＢ及び地図ＤＢを備えたスタンドアローン型のナビゲーション装置に適用する。
（５）移動手段によって、ユーザに現在地を確認する際の地図（拡大地図）の縮尺を変える。即ち、例えば自動車であれば１〜２ｋｍ以内、徒歩であれば３００ｍ以内が表示される縮尺とする。
【符号の説明】
【００６０】
１０…経路探索サーバ、２０…携帯端末装置、２１…制御部、２２…位置測定部、２７…経路探索処理手段、２８…経路案内手段、２９…現在地確認手段。
【図１】
2014074653.tif 000004
【図２】
2014074653.tif 000005
【図３】
2014074653.tif 000006
【図４】
2014074653.tif 000007